(57)【要約】  ワイヤレス通信のためのシステムおよび方法が開示される。一態様では、アクセスポイント（ＡＰ）が、制限されたアクセスウィンドウ（ＲＡＷ）を割り当てる情報要素（ＩＥ）をもつフレームを生成するように、ならびに、ＲＡＷのタイプに基づいて、ＲＡＷ中に送信することを許可された１つまたは複数のデバイスのグループを示すフィールドをＩＥ中に含めるかどうか決定するように、構成されたプロセッサを含む。処理システムは、生成されたフレームを送信用に出力するためのインターフェースをさらに含む。いくつかの態様によると、ＲＡＷタイプ（たとえば、シンプレックス）の少なくとも１つのオプションタイプ（たとえば、オムニ）が、デバイスによって、それらのデバイスタイプにかかわらずアクセス可能である。したがって、ＡＰは、ＲＡＷの少なくとも１つのオプションタイプに対して、ＲＡＷ中に送信することを許可された１つまたは複数のデバイスのグループを示すフィールドをＩＥに含めない場合がある。
2016534670.tif 000002
【特許請求の範囲】
【請求項１】
ワイヤレス通信のための装置であって、
制限されたアクセスウィンドウ（ＲＡＷ）を割り当てる情報要素（ＩＥ）をもつフレームを生成するように、ならびに、前記ＲＡＷのタイプに基づいて、前記ＲＡＷ中に送信することを許可された１つまたは複数のデバイスのグループを示すフィールドを前記ＩＥ中に含めるかどうか決定するように、構成された処理システムと、
前記生成されたフレームを送信用に出力するためのインターフェースと
を備える装置。
【請求項２】
前記処理システムは、シンプレックスＲＡＷタイプのＩＥに対して前記フィールドを含めないと決定するようにさらに構成される、請求項１に記載の装置。
【請求項３】
前記処理システムは、前記ＩＥ中の、前記フィールドの存在または不在を指示するようにさらに構成される、請求項１に記載の装置。
【請求項４】
前記指示は、前記ＩＥの同一グループ指示フィールドの１つまたは複数のビットにより与えられる、請求項３に記載の装置。
【請求項５】
前記ＲＡＷタイプの少なくとも１つのオプションタイプは、デバイスのデバイスタイプにかかわらず、当該デバイスによってアクセス可能であり、
前記処理システムは、前記ＲＡＷタイプの少なくとも１つのオプションタイプが、１つまたは複数のデバイスのグループが当該デバイスのデバイスタイプにかかわらず前記ＲＡＷ中に通信してよいことを示す場合、前記フィールドを前記ＩＥに含めないと決定するように構成される、
請求項１に記載の装置。
【請求項６】
前記少なくとも１つのオプションタイプはオムニであり、前記ＲＡＷタイプはシンプレックスである、請求項５に記載の装置。
【請求項７】
前記処理システムは、ＲＡＷタイプフィールドのサブフィールドを特定の値に設定することによって、前記ＲＡＷタイプの前記少なくとも１つのオプションタイプを示すように構成される、請求項５に記載の装置。
【請求項８】
前記処理システムは、前記ＲＡＷ中に通信することを許可されるデバイスの少なくとも１つのサブグループを示すように構成され、
デバイスの前記サブグループは、前記ＲＡＷ中に通信することを許可された１つまたは複数のデバイスの前記グループからの少なくとも１つのデバイスを含む、
請求項５に記載の装置。
【請求項９】
ワイヤレス通信のための方法であって、
制限されたアクセスウィンドウ（ＲＡＷ）を割り当てる情報要素（ＩＥ）をもつフレームを生成することと、
前記ＲＡＷのタイプに基づいて、前記ＲＡＷ中に送信することを許可された１つまたは複数のデバイスのグループを示すフィールドを前記ＩＥ中に含めるかどうか決定することと、
前記生成されたフレームを送信用に出力することと
を備える方法。
【請求項１０】
前記ＲＡＷのタイプに基づいて、前記ＲＡＷ中に送信することを許可された１つまたは複数のデバイスのグループを示すフィールドを前記ＩＥ中に含めるかどうか決定することは、シンプレックスＲＡＷタイプに対して前記フィールドを含めないと決定することを備える、請求項９に記載の方法。
【請求項１１】
前記ＩＥ中の、前記フィールドの存在または不在を指示することをさらに備える、請求項９に記載の方法。
【請求項１２】
前記指示は、前記ＩＥの同一グループ指示フィールドの１つまたは複数のビットにより与えられる、請求項１１に記載の方法。
【請求項１３】
前記ＲＡＷタイプの少なくとも１つのオプションタイプは、デバイスのデバイスタイプにかかわらず、当該デバイスによってアクセス可能であり、
前記ＲＡＷタイプの少なくとも１つのオプションタイプが、１つまたは複数のデバイスのグループが当該デバイスのデバイスタイプにかかわらず前記ＲＡＷ中に通信してよいことを示す場合、前記フィールドを前記ＩＥ中に含めないと決定することをさらに備える、
請求項９に記載の方法。
【請求項１４】
前記オプションタイプはオムニであり、前記ＲＡＷタイプはシンプレックスである、請求項１３に記載の方法。
【請求項１５】
ＲＡＷタイプフィールドのサブフィールドを特定の値に設定することによって、前記ＲＡＷタイプの前記少なくとも１つのオプションタイプを示すことをさらに備える、請求項１３に記載の方法。
【請求項１６】
前記ＲＡＷ中に通信することを許可されるデバイスの少なくとも１つのサブグループを示すことをさらに備え、
デバイスの前記サブグループは、前記ＲＡＷ中に通信することを許可された１つまたは複数のデバイスの前記グループからの少なくとも１つのデバイスを含む、
請求項１３に記載の方法。
【請求項１７】
ワイヤレス通信のための装置であって、
制限されたアクセスウィンドウ（ＲＡＷ）を割り当てる情報要素（ＩＥ）をもつフレームを生成するための手段と、
前記ＲＡＷのタイプに基づいて、前記ＲＡＷ中に送信することを許可された１つまたは複数のデバイスのグループを示すフィールドを前記ＩＥ中に含めるかどうか決定するための手段と、
前記生成されたフレームを送信用に出力するための手段と
を備える装置。
【請求項１８】
制限されたアクセスウィンドウ（ＲＡＷ）を割り当てる情報要素（ＩＥ）をもつフレームを生成し、
前記ＲＡＷのタイプに基づいて、前記ＲＡＷ中に送信することを許可された１つまたは複数のデバイスのグループを示すフィールドを前記ＩＥ中に含めるかどうか決定し、
前記生成されたフレームを送信用に出力する
ための命令を記憶したコンピュータ可読媒体を備えるコンピュータプログラム製品。
【請求項１９】
アクセスポイント（ＡＰ）であって、
少なくとも１つのアンテナと、
制限されたアクセスウィンドウ（ＲＡＷ）を割り当てる情報要素（ＩＥ）をもつフレームを生成し、ならびに、前記ＲＡＷのタイプに基づいて、前記ＲＡＷ中に送信することを許可された１つまたは複数のデバイスのグループを示すフィールドを前記ＩＥ中に含めるかどうか決定するように、構成された処理システムと、
前記少なくとも１つのアンテナを介して、前記生成されたフレームを送信用に送信するように構成された送信機とを備えるアクセスポイント。
【発明の詳細な説明】
【技術分野】
【０００１】
関連出願の相互参照
[0001]本出願は、参照によってそれらすべての全体が本明細書に明白に組み込まれている、２０１３年９月１１日に出願した米国特許出願第６１／８７６，７５５号、２０１３年１１月５日に出願した米国特許出願第６１／８９９，８８０号、および２０１４年９月１０日に出願した米国特許出願第１４／４８２，３９９号に対する優先権の利益を主張する。
【０００２】
[0002]本出願は、一般に、ワイヤレス通信に関し、より詳細には、制限されたアクセスウィンドウ（ＲＡＷ）を使用して電力を節約するためのシステム、方法、およびデバイスに関する。
【背景技術】
【０００３】
[0003]多くの電気通信システムでは、通信ネットワークは、空間的に分離されたいくつかの対話しているデバイスの間でメッセージを交換するために使用される。ネットワークは、たとえば、メトロポリタンエリア、ローカルエリア、またはパーソナルエリアであり得る地理的な範囲に従って分類され得る。そのようなネットワークは、それぞれワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定される。ネットワークはまた、様々なネットワークノードとデバイスとを相互接続するために使用されるスイッチング／ルーティング技法（たとえば、回線交換対パケット交換）、送信に採用される物理媒体のタイプ（たとえば、有線対ワイヤレス）、および使用される通信プロトコルのセット（たとえば、インターネットプロトコルスイート、ＳＯＮＥＴ（同期光ネットワーキング）、イーサネット（登録商標）など）に応じて異なる。
【０００４】
[0004]ワイヤレスネットワークは、ネットワーク要素がモバイルであり、したがって動的接続性の必要を有するときに、またはネットワークアーキテクチャが固定ではなくアドホックなトポロジーで形成される場合に、しばしば好適である。ワイヤレスネットワークは、無線、マイクロ波、赤外線、光などの周波数帯域内の電磁波を使用する非誘導伝搬モードでは、無形の物理媒体を採用する。ワイヤレスネットワークは、有利なことに、固定有線ネットワークと比較して、ユーザモビリティと迅速な現場配置とを容易にする。
【０００５】
[0005]ワイヤレスネットワーク内のデバイスは、互いの間で情報を送信／受信することができる。その情報は、いくつかの態様ではデータユニットと呼ばれる場合がある、パケットを備えることができる。パケットは、ネットワークを介してパケットをルーティングすること、パケット内のデータを識別すること、パケットを処理することなどを行う際に助けとなるオーバーヘッド情報（たとえば、ヘッダ情報、パケットプロパティなど）、ならびにデータ、たとえば、パケットのペイロード内で搬送され得るようなユーザデータ、マルチメディアコンテンツなどを含む場合がある。
【発明の概要】
【０００６】
[0006]添付の特許請求の範囲内のシステム、方法およびデバイスの様々な実装形態は、それぞれがいくつかの態様を有し、それらのうちの単一の態様は、単独では本明細書に記載される望ましい属性に関与しない。添付の特許請求の範囲を限定することなく、いくつかの顕著な特徴が本明細書に記載される。この説明を考察すると、特に「発明を実施するための形態」と題するセクションを読むと、様々な実装形態の特徴により、アクセスポイント用のスリープタイムがどのように可能になるかを理解されよう。
【０００７】
[0007]一態様は、ワイヤレス通信のための装置を提供する。装置は、制限されたアクセスウィンドウ（ＲＡＷ）を割り当てる情報要素（ＩＥ）をもつフレームを生成するように、ならびに、ＲＡＷのタイプに基づいて、ＲＡＷ中に送信することを許可された１つまたは複数のデバイスのグループを示すフィールドをＩＥ中に含めるかどうか決定するように構成された処理システムと、生成されたフレームを送信用に出力するためのインターフェースとを含む。
【０００８】
[0008]別の態様は、ワイヤレス通信のための方法を提供する。方法は概して、制限されたアクセスウィンドウ（ＲＡＷ）を割り当てる情報要素（ＩＥ）をもつフレームを生成することと、ＲＡＷのタイプに基づいて、ＲＡＷ中に送信することを許可された１つまたは複数のデバイスのグループを示すフィールドをＩＥ中に含めるかどうか決定することと、生成されたフレームを送信用に出力することとを含む。
【０００９】
[0009]別の態様は、ワイヤレス通信のための装置を提供する。装置は概して、制限されたアクセスウィンドウ（ＲＡＷ）を割り当てる情報要素（ＩＥ）をもつフレームを生成するための手段と、ＲＡＷのタイプに基づいて、ＲＡＷ中に送信することを許可された１つまたは複数のデバイスのグループを示すフィールドをＩＥ中に含めるかどうか決定するための手段と、生成されたフレームを送信用に出力するための手段とを含む。
【００１０】
[0010]別の態様は、ワイヤレス通信のためのコンピュータプログラム製品を提供する。コンピュータプログラム製品は概して、制限されたアクセスウィンドウ（ＲＡＷ）を割り当てる情報要素（ＩＥ）をもつフレームを生成し、ＲＡＷのタイプに基づいて、ＲＡＷ中に送信することを許可された１つまたは複数のデバイスのグループを示すフィールドをＩＥ中に含めるかどうか決定し、生成されたフレームを送信用に出力するための命令を記憶したコンピュータ可読媒体を含む。
【００１１】
[0011]別の態様は、ワイヤレス通信のためのアクセスポイントを提供する。アクセスポイントは、少なくとも１つのアンテナと、制限されたアクセスウィンドウ（ＲＡＷ）を割り当てる情報要素（ＩＥ）をもつフレームを生成するように、およびＲＡＷのタイプに基づいて、ＲＡＷ中に送信することを許可された１つまたは複数のデバイスのグループを示すフィールドをＩＥ中に含めるかどうか決定するように構成された処理システムと、少なくとも１つのアンテナを介して、生成されたフレームを送信するように構成された送信機とを含む。
【図面の簡単な説明】
【００１２】
【図１】[0012]本開示の態様が採用され得るワイヤレス通信システムの一例を示す図。
【図２】[0013]図１のワイヤレス通信システム内で採用され得るワイヤレスデバイスの一例を示す図。
【図３】[0014]ワイヤレス通信を送信するために図２のワイヤレスデバイス内に含まれ得る構成要素の一例を示す図。
【図４】[0015]ワイヤレス通信を送信するために図２のワイヤレスデバイス内に含まれ得る構成要素の一例を示す図。
【図５】[0016]本開示の態様によるＲＡＷ割当てフィールドの例示的フォーマットを示す図。
【図６】[0017]本開示の態様によるＲＡＷ割当てフィールドの例示的サブフィールドを示す図。
【図７】[0018]本開示の態様による、４つのタイプのＲＡＷ向けの例示的サブフィールドの一覧を示す図。
【図８Ａ】[0019]本開示の態様による通常（ｒｅｇｕｌａｒ）ＲＡＷについての例を示す図。
【図８Ｂ】[0020]本開示の態様による、ＰＳ−Ｐｏｌｌ  ＲＡＷという種類のＰＲＡＷについての例を示す図。
【図８Ｃ】[0021]本開示の態様によるサウンディングまたはシンプレックスＲＡＷについての例を示す図。
【図９Ａ】[0022]本開示の態様による例示的ＲＰＳ  ＩＥフォーマットを示す図。
【図９Ｂ】[0023]本開示の態様による、通常ＲＡＷタイプ向けのＮ個のＲＡＷ割当てフィールドのうちの１つの、例示的サブフィールドを示す図。
【図９Ｃ】[0024]本開示の態様による、シンプレックスＲＡＷタイプ向けのＮ個のＲＡＷ割当てフィールドのうちの１つの、例示的サブフィールドを示す図。
【図９Ｄ】[0025]本開示の態様による、ＰＲＡＷタイプ向けのＮ個のＲＡＷ割当てフィールドのうちの１つの、例示的サブフィールドを示す図。
【図１０Ａ】[0026]本開示の態様による例示的ＲＡＷ割当てサブフィールドフォーマットを示す図。
【図１０Ｂ】[0027]本開示の態様による、ＲＡＷ割当てサブフィールドのＲＡＷ割当て制御の例示的フィールドを示す図。
【図１０Ｃ】[0028]本開示の態様による、ＲＡＷ割当てサブフィールドのＲＡＷ割当て情報本体中の例示的サブフィールドを示す図。
【図１１】[0029]本開示の態様による通常ＲＡＷタイプの例を示す図。
【図１２】[0030]本開示の態様によるサウンディングＲＡＷタイプの例を示す図。
【図１３】[0100]本開示の態様によるシンプレックスＲＡＷタイプの例を示す図。
【図１４】[0031]本開示の態様によるＰＲＡＷ  ＲＡＷタイプの例を示す図。
【図１５】[0032]本開示の態様による、ＡＰによって実施される例示的動作を示す図。
【図１５Ａ】[0033]図１５に示される動作を実施することが可能な例示的構成要素を示す図。
【図１６】[0034]本開示の態様による、非ＡＰデバイスによって実施される例示的動作を示す図。
【図１６Ａ】[0035]図１６に示される動作を実施することが可能な例示的構成要素を示す図。
【図１７】[0036]本開示の態様による、ＲＡＷ割当て用の例示的フォーマットを示す図。
【発明を実施するための形態】
【００１３】
[0101]本明細書に記載するように、ワイヤレスステーションの選択グループが通信媒体にアクセスするために予約済みであるとアクセスポイントが宣言する時間期間を定義するのに、制限されたアクセスウィンドウ（ＲＡＷ）が使われ得る。ＲＡＷタイプの例には、通常ＲＡＷタイプ、周期的な制限されたアクセスＲＡＷ（ＰＲＡＷ）、サウンディングＲＡＷ、およびシンプレックスＲＡＷ（たとえば、ＡＰ電力管理（ＡＰ  ＰＭ））ＲＡＷ／非トラフィック指示ＲＡＷ）がある。シンプレックスＲＡＷタイプは、３つのＲＡＷタイプオプション、すなわちＡＰ  ＰＭ  ＲＡＷ、非ＴＩＭ  ＲＡＷ、およびオムニＲＡＷを含む。
【００１４】
[0102]ＲＡＷタイプオプションがＡＰ  ＰＭ  ＲＡＷであるとき、どのステーションも通信媒体（たとえば、ＡＰ）にアクセスすることができない。ＲＡＷタイプオプションが非ＴＩＭ  ＲＡＷであるとき、アクセスは、ＲＡＷ内であらかじめスケジュールされた非ＴＩＭステーションに限定される。ＲＡＷタイプオプションがオムニＲＡＷであるとき、すべてのステーションが媒体にアクセスすることができる。シンプレックスＲＡＷのタイプオプションに基づいて（ここにおいて、タイプオプションは、ＡＰ  ＰＭ  Ｒａｗと、非ＴＩＭ  Ｒａｗと、オムニＲＡＷとを含む）、ステーションは、ＲＡＷ中に媒体にアクセスすることができるかどうか知ることができる。したがって、シンプレックスＲＡＷ中に媒体にアクセスすることができるステーションの「グループ」を示すことは、必要ないかもしれない。
【００１５】
[0103]添付の図面を参照して、新規のシステム、装置、および方法の様々な態様が、以下でより十分に記載される。しかしながら、教示する開示は、多くの異なる形態で具現化される場合があり、本開示全体にわたって提示される任意の特定の構造または機能に限定されるものと解釈されるべきではない。むしろ、これらの態様は、本開示が完璧かつ完全になり、本開示の範囲を当業者に十分に伝えるように、提供される。本明細書の教示に基づいて、本開示の範囲は、本発明の任意の他の態様とは無関係に実装されるか、本発明の任意の他の態様と組み合わされるかにかかわらず、本明細書で開示される新規のシステム、装置、および方法の任意の態様を包含するものであることを、当業者は諒解されたい。たとえば、本明細書に記載された態様をいくつ使用しても、装置は実装され得るか、または方法は実践され得る。加えて、本発明の範囲は、本明細書に記載された本発明の様々な態様に加えて、またはそれらの態様以外に、他の構造、機能、または構造と機能とを使用して実践される、そのような装置または方法を包含するものである。本明細書で開示される任意の態様が、請求項の１つまたは複数の要素によって具現化され得ることを理解されたい。
【００１６】
[0104]本明細書では特定の態様が記載されるが、これらの態様の多くの変形形態および置換は本開示の範囲内に入る。好適な態様のいくつかの利益および利点が言及されるが、本開示の範囲は、特定の利益、使用、または目的に限定されるものではない。むしろ、本開示の態様は、様々なワイヤレス技術、システム構成、ネットワーク、および送信プロトコルに広く適用可能なものであり、そのうちのいくつかが図面および好適な態様の以下の説明において例として示される。発明を実施するための形態および図面は、限定的なものではなく、本開示を説明するものにすぎず、本開示の範囲は、添付の特許請求の範囲およびその均等物によって定義される。
【００１７】
[0105]ワイヤレスネットワーク技術は、様々なタイプのワイヤレスローカルエリアネットワーク（ＷＬＡＮ）を含む場合がある。ＷＬＡＮは、広く使用されるネットワーキングプロトコルを採用して、近くのデバイスを一緒に相互接続するために使用され得る。本明細書に記載される様々な態様は、ＷｉＦｉ（登録商標）、またはより一般的には、ワイヤレスプロトコルのＩＥＥＥ８０２．１１ファミリの任意のメンバなどの任意の通信規格に適用することができる。たとえば、本明細書に記載された様々な態様は、サブ１ＧＨｚ帯域を使用するＩＥＥＥ８０２．１１ａｈプロトコルの一部として使用され得る。
【００１８】
[0106]いくつかの態様では、サブギガヘルツ帯域内のワイヤレス信号は、直交周波数分割多重（ＯＦＤＭ）、直接シーケンス拡散スペクトル（ＤＳＳＳ）通信、ＯＦＤＭ通信とＤＳＳＳ通信との組合せ、または他の方式を使用して、８０２．１１ａｈプロトコルに従って送信され得る。８０２．１１ａｈプロトコルの実装形態は、センサ、検針、およびスマートグリッドネットワークに使用され得る。有利なことに、８０２．１１ａｈプロトコルを実装するいくつかのデバイスの態様は、他のワイヤレスプロトコルを実装するデバイスよりも消費する電力が少ない場合があり、かつ／または、比較的長い距離、たとえば約１キロメートル以上にわたってワイヤレス信号を送信するために使用され得る。
【００１９】
[0107]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（ステーションまたは「ＳＴＡ」とも呼ばれる）クライアントが存在する場合がある。一般に、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的な接続性を取得するために、ＷｉＦｉ（たとえば、８０２．１１ａｈなどのＩＥＥＥ８０２．１１プロトコル）準拠のワイヤレスリンクを介してＡＰに接続する。いくつかの実装形態では、ＳＴＡはＡＰとして使用される場合もある。
【００２０】
[0108]アクセスポイント（「ＡＰ」）はまた、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、もしくは他の何らかの用語を備えるか、それらのいずれかとして実装されるか、またはそれらのいずれかとして知られる場合がある。アクセスポイントは、幹線基地局または中継基地局であり得る。中継基地局は、ワイヤレスステーションと、幹線基地局または別の中継基地局である別の基地局との間でデータを中継する。
【００２１】
[0109]ステーション「ＳＴＡ」はまた、アクセス端末（「ＡＴ」）、加入者局、加入者ユニット、移動局、リモートステーション、リモート端末、ユーザ端末、ユーザエージェント、ユーザデバイス、ユーザ機器、もしくは何らかの他の用語を備えるか、それらのいずれかとして実装されるか、またはそれらのいずれかとして知られる場合がある。いくつかの実装形態では、アクセス端末は、携帯電話、コードレス電話、セッション開始プロトコル（「ＳＩＰ」）電話、ワイヤレスローカルループ（「ＷＬＬ」）ステーション、携帯情報端末（「ＰＤＡ」）、ワイヤレス接続機能を有するハンドヘルドデバイス、またはワイヤレスモデムに接続された何らかの他の好適な処理デバイスを備える場合がある。したがって、本明細書で教示された１つまたは複数の態様は、電話（たとえば、携帯電話もしくはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介して通信するように構成された任意の他の適切なデバイスに組み込まれる場合がある。
【００２２】
[0110]上記で説明されたように、本明細書に記載されるデバイスのいくつかは、たとえば、８０２．１１ａｈ規格を実装することができる。そのようなデバイスは、ＳＴＡとして使用されるか、ＡＰとして使用されるか、他のデバイスとして使用されるかにかかわらず、スマート検針用に、またはスマートグリッドネットワークにおいて使用され得る。そのようなデバイスは、センサへの適用例を提供するか、またはホームオートメーションにおいて使用され得る。デバイスは、代わりにまたは加えて、たとえば個人の健康管理のために、健康管理の状況において使用され得る。それらはまた、（たとえばホットスポットとともに使用するための）広範囲のインターネット接続を可能にするために、または機械間通信を実装するために、監視に使用され得る。
【００２３】
[0111]図１は、本開示の態様が採用され得るワイヤレス通信システム１００の一例を示す。いくつかの態様によると、ＡＰ１０４は、ＲＡＷを割り当てるＩＥをもつフレームを生成することができ、ＲＡＷ中に送信することを許可された１つまたは複数のステーションのグループを示すフィールドをＩＥ中に含めるかどうか決定することができる。ＡＰは、フレームを出力する（たとえば、送信する）ことができる。
【００２４】
[0112]ワイヤレス通信システム１００は、ワイヤレス規格、たとえば８０２．１１ａｈ規格に従って動作することができる。ワイヤレス通信システム１００は、ＳＴＡ１０６と通信するＡＰ１０４を含む場合がある。
【００２５】
[0113]様々なプロセスおよび方法は、ＡＰ１０４とＳＴＡ１０６との間の、ワイヤレス通信システム１００における送信に使用される場合がある。たとえば、信号は、ＯＦＤＭ／ＯＦＤＭＡ技法に従って、ＡＰ１０４とＳＴＡ１０６との間で送受信される場合がある。この場合、ワイヤレス通信システム１００は、ＯＦＤＭ／ＯＦＤＭＡシステムと呼ばれる場合がある。代替として、信号は、ＣＤＭＡ技法に従って、ＡＰ１０４とＳＴＡ１０６との間で送受信される場合がある。この場合、ワイヤレス通信システム１００は、ＣＤＭＡシステムと呼ばれる場合がある。
【００２６】
[0114]ＡＰ１０４からＳＴＡ１０６のうちの１つまたは複数への送信を容易にする通信リンクはダウンリンク（ＤＬ）１０８と呼ばれる場合があり、ＳＴＡ１０６のうちの１つまたは複数からＡＰ１０４への送信を容易にする通信リンクはアップリンク（ＵＬ）１１０と呼ばれる場合がある。代替として、ダウンリンク１０８は順方向リンクまたは順方向チャネルと呼ばれる場合があり、アップリンク１１０は逆方向リンクまたは逆方向チャネルと呼ばれる場合がある。
【００２７】
[0115]ＡＰ１０４は、基地局として働き、基本サービスエリア（ＢＳＡ）１０２においてワイヤレス通信カバレージを提供することができる。ＡＰ１０４は、ＡＰ１０４に関連付けられ、通信にＡＰ１０４を使用するＳＴＡ１０６とともに、基本サービスセット（ＢＳＳ）と呼ばれる場合がある。ワイヤレス通信システム１００は、中央ＡＰ１０４を有していない場合があり、むしろ、ＳＴＡ１０６間のピアツーピアネットワークとして機能する場合があることに留意されたい。したがって、本明細書に記載されたＡＰ１０４の機能は、ＳＴＡ１０６のうちの１つまたは複数によって代替的に実行される場合がある。
【００２８】
[0116]ＳＴＡ１０６は、タイプが限定されず、多種多様なＳＴＡを含む場合がある。たとえば、図１に示されたように、ＳＴＡ１０６には、いくつか例を挙げると、携帯電話１０６ａ、テレビジョン１０６ｂ、ラップトップ１０６ｃ、およびいくつかのセンサ１０６ｄ（たとえば、ワイヤレスプロトコルを使用して通信することが可能な気象センサまたは他のセンサ）が含まれ得る。
【００２９】
[0117]図２は、本開示の態様による、ワイヤレス通信システム１００内で採用され得るワイヤレスデバイス２０２で利用され得る様々な構成要素を示す。たとえば、ワイヤレスデバイス２０２は、本明細書に記載される様々な方法を実装するように構成され得るデバイスの一例である。たとえば、ワイヤレスデバイス２０２は、ＡＰ１０４、またはＳＴＡ１０６のうちの１つを備える場合がある。
【００３０】
[0118]ワイヤレスデバイス２０２は、ワイヤレスデバイス２０２の動作を制御するプロセッサ２０４を含む場合がある。プロセッサ２０４は、中央処理装置（ＣＰＵ）と呼ばれる場合もある。読取り専用メモリ（ＲＯＭ）とランダムアクセスメモリ（ＲＡＭ）の両方を含む場合があるメモリ２０６は、プロセッサ２０４に命令とデータとを供給する。メモリ２０６の一部分は、不揮発性ランダムアクセスメモリ（ＮＶＲＡＭ）を含む場合もある。プロセッサ２０４は、通常、メモリ２０６内に記憶されたプログラム命令に基づいて、論理演算と算術演算とを実行する。メモリ２０６内の命令は、本明細書に記載される方法を実装するように実行可能であり得る。
【００３１】
[0119]プロセッサ２０４は、１つまたは複数のプロセッサとともに実装された処理システムの構成要素を備え、または、その構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別のハードウェア構成要素、専用のハードウェア有限状態機械、または、情報の計算もしくは他の操作を実行することができる任意の他の適切なエンティティの任意の組合せで実装される場合がある。
【００３２】
[0120]処理システムは、ソフトウェアを記憶するための機械可読媒体を含む場合もある。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、または別様に呼ばれるかにかかわらず、任意のタイプの命令を意味すると広く解釈されるべきである。命令は、（たとえば、ソースコード形式、バイナリコード形式、実行可能コード形式、またはコードの任意の他の適切な形式の）コードを含む場合がある。命令は、１つまたは複数のプロセッサによって実行されたとき、本明細書に記載される様々な機能を処理システムに実行させる。
【００３３】
[0121]ワイヤレスデバイス２０２は、ワイヤレスデバイス２０２と遠隔地との間のデータの送信と受信とを可能にするために、送信機２１０と受信機２１２とを含む場合もある。さらに、送信機２１０および受信機２１２は、ワイヤレスデバイス２０２と、たとえばＡＰを含む遠隔地との間のセットアップおよび／または構成のパケットもしくはフレームの送信と受信とを可能にするように構成され得る。送信機２１０および受信機２１２は、トランシーバ２１４の中に組み合わされる場合がある。アンテナ２１６は、筐体２０８に取り付けられ、トランシーバ２１４に電気的に結合される場合がある。代替または追加として、ワイヤレスデバイス２０２は、筐体２０８の一部として形成されたアンテナ２１６を含む場合があるか、または内部アンテナであり得る。ワイヤレスデバイス２０２は、複数の送信機、複数の受信機、複数のトランシーバ、および／または複数のアンテナを含む場合もある（図示せず）。
【００３４】
[0122]ワイヤレスデバイス２０２は、トランシーバ２１４によって受信された信号のレベルを検出し、定量化するために使用され得る、信号検出器２１８を含む場合もある。信号検出器２１８は、総エネルギー、シンボルごとのサブキャリア当たりのエネルギー、電力スペクトル密度、および他の信号などの信号を検出することができる。ワイヤレスデバイス２０２は、信号を処理する際に使用するデジタル信号プロセッサ（ＤＳＰ）２２０を含む場合もある。ＤＳＰ２２０は、送信用のデータユニットを生成するように構成され得る。いくつかの態様では、データユニットは物理レイヤデータユニット（ＰＰＤＵ）を備える場合がある。いくつかの態様では、ＰＰＤＵはパケットまたはフレームと呼ばれる。
【００３５】
[0123]いくつかの態様では、ワイヤレスデバイス２０２は、ユーザインターフェース２２２をさらに備える場合がある。ユーザインターフェース２２２は、キーパッド、マイクロフォン、スピーカ、および／またはディスプレイを備える場合がある。ユーザインターフェース２２２は、ワイヤレスデバイス２０２のユーザに情報を伝え、かつ／またはユーザからの入力を受信する、任意の要素または構成要素を含む場合がある。
【００３６】
[0124]ワイヤレスデバイス２０２の様々な構成要素は、筐体２０８内に収納される場合がある。さらに、ワイヤレスデバイス２０２の様々な構成要素は、バスシステム２２６によって互いに結合される場合がある。バスシステム２２６は、たとえば、データバス、ならびに、データバスに加えて、電力バスと、制御信号バスと、ステータス信号バスとを含む場合がある。ワイヤレスデバイス２０２の構成要素は、何らかの他の機構を使用して、互いに結合される場合があるか、または互いに対する入力を受け入れるか、もしくは提供することができることを、当業者は諒解されよう。
【００３７】
[0125]図２にはいくつかの別個の構成要素が示されているが、構成要素のうちの１つまたは複数が組み合わされるか、または共通に実装される場合があることを、当業者は認識されよう。たとえば、プロセッサ２０４は、プロセッサ２０４に関して上述された機能を実装するためだけでなく、信号検出器２１８および／またはＤＳＰ２２０に関して上述された機能を実装するためにも使用され得る。さらに、図２に示された構成要素の各々は、複数の別個の要素を使用して実装される場合がある。
【００３８】
[0126]上記で説明されたように、ワイヤレスデバイス２０２は、ＡＰ１０４またはＳＴＡ１０６を備える場合があり、通信を送信および／または受信するために使用され得る。
【００３９】
[0127]図３は、ワイヤレス通信を送信するためにワイヤレスデバイス２０２において利用され得る様々な構成要素を示す。いくつかの態様によると、ＡＰ１０４は、図３に示される様々な構成要素を含み得る。
【００４０】
[0128]図３に示された構成要素は、たとえば、ＯＦＤＭ通信を送信するために使用され得る。いくつかの態様では、図３に示された構成要素は、ピーク対電力平均比が可能な限り低いトレーニングフィールドを有するデータユニットを送信するために使用される。参照しやすいように、図３に示された構成要素で構成されるワイヤレスデバイス２０２を、以下ワイヤレスデバイス２０２ａと呼ぶ。
【００４１】
[0129]ワイヤレスデバイス２０２ａは、送信用のビットを変調するように構成された変調器３０２を備える場合がある。たとえば、変調器３０２は、たとえばコンスタレーションに従ってビットを複数のシンボルにマッピングすることによって、プロセッサ２０４またはユーザインターフェース２２２から受信されたビットから複数のシンボルを決定することができる。それらのビットは、ユーザデータまたは制御情報に対応する場合がある。いくつかの態様では、それらのビットはコードワードにおいて受信される。一態様では、変調器３０２は、ＱＡＭ（直交振幅変調）変調器、たとえば１６ＱＡＭ変調器または６４ＱＡＭ変調器を備える。他の態様では、変調器３０２は、２位相シフトキーイング（ＢＰＳＫ）変調器または４位相シフトキーイング（ＱＰＳＫ）変調器を備える。
【００４２】
[0130]ワイヤレスデバイス２０２ａは、変調器３０２からのシンボル、または場合によっては変調されたビットを時間領域に変換するように構成された変換モジュール３０４をさらに備える場合がある。図３では、変換モジュール３０４は、逆高速フーリエ変換（ＩＦＦＴ）モジュールによって実装されるものとして示されている。いくつかの実装形態では、異なるサイズのデータのユニットを変換する複数の変換モジュール（図示せず）が存在する場合がある。
【００４３】
[0131]図３では、変調器３０２および変換モジュール３０４は、ＤＳＰ２２０内に実装されるものとして示されている。しかしながら、いくつかの態様では、変調器３０２および変換モジュール３０４の一方または両方は、プロセッサ２０４内またはワイヤレスデバイス２０２の別の要素内に実装される。
【００４４】
[0132]上記で説明されたように、ＤＳＰ２２０は、送信用のデータユニットを生成するように構成され得る。いくつかの態様では、変調器３０２および変換モジュール３０４は、制御情報を含む複数のフィールドと複数のデータシンボルとを備えるデータユニットを生成するように構成され得る。制御情報を含むそれらのフィールドは、たとえば、１つまたは複数のトレーニングフィールドと、１つまたは複数の信号（ＳＩＧ）フィールドとを備える場合がある。トレーニングフィールドの各々は、既知のビットまたはシンボルのシーケンスを含む場合がある。ＳＩＧフィールドの各々は、データユニットについての情報、たとえばデータユニットの長さまたはデータレートの記述を含む場合がある。
【００４５】
[0133]図３の説明に戻ると、ワイヤレスデバイス２０２ａは、変換モジュールの出力をアナログ信号に変換するように構成されたデジタルアナログ変換器３０６をさらに備える場合がある。たとえば、変換モジュール３０６の時間領域出力は、デジタルアナログ変換器３０６によってベースバンドＯＦＤＭ信号に変換され得る。デジタルアナログ変換器３０６は、プロセッサ２０４内またはワイヤレスデバイス２０２の別の要素内に実装される場合がある。いくつかの態様では、デジタルアナログ変換器３０６は、トランシーバ２１４内またはデータ送信プロセッサ内に実装される。
【００４６】
[0134]アナログ信号は、送信機２１０によってワイヤレスに送信され得る。アナログ信号は、送信機２１０によって送信される前に、たとえばフィルタ処理されることによって、または中間周波数もしくは搬送周波数にアップコンバートされることによって、さらに処理され得る。図３に示された実装形態では、送信機２１０は送信増幅器３０８を含む。送信されるより前に、アナログ信号は送信増幅器３０８によって増幅され得る。いくつかの態様では、増幅器３０８は低雑音増幅器（ＬＮＡ）を備える。
【００４７】
[0135]送信機２１０は、アナログ信号に基づいてワイヤレス信号内の１つまたは複数のパケット、フレーム、またはデータユニットを送信するように構成される。それらのデータユニットは、プロセッサ２０４および／またはＤＳＰ２２０を使用して、たとえば上記で説明されたように変調器３０２と変換モジュール３０４とを使用して、生成され得る。
【００４８】
[0136]図４は、ワイヤレス通信を受信するためにワイヤレスデバイス２０２において利用され得る様々な構成要素を示す。図４に示された構成要素は、たとえば、ＯＦＤＭ通信を受信するために使用され得る。いくつかの実装形態では、図４に示された構成要素は、以下でさらに詳細に説明されるように、１つまたは複数のトレーニングフィールドを含むパケット、フレーム、またはデータユニットを受信するために使用される。たとえば、図４に示された構成要素は、図３に関して上記で説明された構成要素によって送信されたデータユニットを受信するために使用され得る。参照しやすいように、図４に示された構成要素で構成されるワイヤレスデバイス２０２を、以下ワイヤレスデバイス２０２ｂと呼ぶ。
【００４９】
[0137]受信機２１２は、ワイヤレス信号内の１つまたは複数のパケット、フレーム、またはデータユニットを受信するように構成される。
【００５０】
[0138]図４に示された実装形態では、受信機２１２は受信増幅器４０１を含む。受信増幅器４０１は、受信機２１２によって受信されたワイヤレス信号を増幅するように構成され得る。いくつかの態様では、受信機２１２は、自動利得制御（ＡＧＣ）手順を使用して、受信増幅器４０１の利得を調整するように構成される。いくつかの態様では、自動利得制御は、たとえば、利得を調整するために、受信されたショートトレーニングフィールド（ＳＴＦ）などの１つまたは複数の受信されたトレーニングフィールド内の情報を使用する。当業者はＡＧＣを実行するための方法を理解されよう。いくつかの態様では、増幅器４０１はＬＮＡを備える。
【００５１】
[0139]ワイヤレスデバイス２０２ｂは、受信機２１２からの増幅されたワイヤレス信号をそれのデジタル表現に変換するように構成された、アナログデジタル変換器４０２を備える場合がある。増幅されることに加えて、ワイヤレス信号は、デジタルアナログ変換器４０２によって変換される前に、たとえばフィルタ処理されることによって、または中間周波数もしくはベースバンド周波数にダウンコンバートされることによって、処理され得る。アナログデジタル変換器４０２は、プロセッサ２０４内またはワイヤレスデバイス２０２の別の要素内に実装される場合がある。いくつかの態様では、アナログデジタル変換器４０２は、トランシーバ２１４内またはデータ受信プロセッサ内に実装される。
【００５２】
[0140]ワイヤレスデバイス２０２ｂは、ワイヤレス信号の表現を周波数スペクトルに変換するように構成された変換モジュール４０４をさらに備える場合がある。図４では、変換モジュール４０４は、高速フーリエ変換（ＦＦＴ）モジュールによって実装されるものとして示されている。いくつかの態様では、変換モジュールは、それが使用するポイントごとにシンボルを識別することができる。
【００５３】
[0141]ワイヤレスデバイス２０２ｂは、データユニットがそれを介して受信されるチャネルの推定値を形成することと、チャネル推定値に基づいてチャネルのいくつかの影響を除去することとを行うように構成された、チャネル推定器兼等化器４０５をさらに備える場合がある。たとえば、チャネル推定器は、チャネルの関数を近似するように構成され得るし、チャネル等化器は、その関数の逆を周波数スペクトル内のデータに適用するように構成され得る。
【００５４】
[0142]いくつかの態様では、チャネル推定器兼等化器４０５は、たとえば、チャネルを推定するために、ロングトレーニングフィールド（ＬＴＦ）などの１つまたは複数の受信されたトレーニングフィールド内の情報を使用する。チャネル推定値は、データユニットの始めにおいて受信された１つまたは複数のＬＴＦに基づいて形成され得る。このチャネル推定値は、その後、１つまたは複数のＬＴＦに続くデータシンボルを等化するために使用され得る。一定の時間期間の後または一定数のデータシンボルの後に、データユニット内で１つまたは複数の追加のＬＴＦが受信され得る。追加のＬＴＦを使用して、チャネル推定値が更新され得るか、または新しい推定値が形成され得る。この新しいまたは更新されたチャネル推定値は、追加のＬＴＦに続くデータシンボルを等化するために使用され得る。いくつかの態様では、新しいまたは更新されたチャネル推定値は、追加のＬＴＦに先行するデータシンボルを再等化するために使用される。当業者はチャネル推定値を形成するための方法を理解されよう。
【００５５】
[0143]ワイヤレスデバイス２０２ｂは、等化されたデータを復調するように構成された復調器４０６をさらに備える場合がある。たとえば、復調器４０６は、たとえばコンスタレーションにおいてビットとシンボルとのマッピングを逆転させることによって、変換モジュール４０４およびチャネル推定器兼等化器４０５によって出力されたシンボルから複数のビットを決定することができる。それらのビットは、プロセッサ２０４によって処理または評価され得るか、またはユーザインターフェース２２２に情報を表示するか、もしくは場合によっては出力するために使用され得る。このようにして、データおよび／または情報が復号され得る。いくつかの態様では、それらのビットはコードワードに対応する。一態様では、復調器４０６は、ＱＡＭ（直交振幅変調）復調器、たとえば１６ＱＡＭ復調器または６４ＱＡＭ復調器を備える。他の態様では、復調器４０６は、２位相シフトキーイング（ＢＰＳＫ）復調器または４位相シフトキーイング（ＱＰＳＫ）復調器を備える。
【００５６】
[0144]図４では、変換モジュール４０４、チャネル推定器兼等化器４０５、および復調器４０６は、ＤＳＰ２２０内に実装されるものとして示されている。しかしながら、いくつかの態様では、変換モジュール４０４、チャネル推定器兼等化器４０５、および復調器４０６のうちの１つまたは複数は、プロセッサ２０４内またはワイヤレスデバイス２０２の別の要素内に実装される。
【００５７】
[0145]上記で説明されたように、受信機２１２において受信されたワイヤレス信号は、１つまたは複数のデータユニットを備える。上記で説明された機能または構成要素を使用して、データユニットまたはその中のデータシンボルは、復号され評価されるか、または場合によっては評価もしくは処理され得る。たとえば、プロセッサ２０４および／またはＤＳＰ２２０は、変換モジュール４０４と、チャネル推定器兼等化器４０５と、復調器４０６とを使用して、データユニット内のデータシンボルを復号するために使用され得る。
【００５８】
[0146]ＡＰ１０４およびＳＴＡ１０６によって交換されるデータユニットは、上記で説明されたように、制御情報またはデータを含む場合がある。物理（ＰＨＹ）レイヤにおいて、これらのデータユニットは、物理レイヤプロトコルデータユニット（ＰＰＤＵ）と呼ばれる場合がある。いくつかの態様では、ＰＰＤＵは、パケット、フレーム、または物理レイヤパケットと呼ばれる場合がある。各ＰＰＤＵはプリアンブルとペイロードとを備える場合がある。プリアンブルはトレーニングフィールドとＳＩＧフィールドとを含む場合がある。ペイロードは、たとえば、媒体アクセス制御（ＭＡＣ）ヘッダもしくは他のレイヤ用のデータ、および／またはユーザデータを備える場合がある。ペイロードは、１つまたは複数のデータシンボルを使用して送信され得る。本明細書のシステム、方法、およびデバイスは、ピーク対電力比が最小限に抑えられたトレーニングフィールドを有するデータユニットを利用することができる。
【００５９】
[0147]ワイヤレスプロトコルのＩＥＥＥ８０２．１１ファミリにおいて指定されたワイヤレス通信などのワイヤレス通信では、複数のステーションは、媒体アクセス制御のプロトコルを使用して伝送媒体を共有する。データ転送をサポートする管理フレームおよび制御フレームのうちの１つであるビーコンフレームは、規則正しく通信を確立し維持するために使用され得る。８０２．１１ａｈプロトコルにおいて指定されたアプリケーションなどのいくつかのアプリケーションでは、制限されたアクセスウィンドウ（ＲＡＷ）は、アクセスポイントがワイヤレスステーションの選択されたグループ用に確保されたものとして宣言する時間の期間を定義するために使用され得る。アクセスポイントに関連付けられていないＳＴＡは、制限されたアクセスウィンドウがオープンされたとき、媒体を競合することができない。
【００６０】
[0148]いくつかのケースでは、ＲＡＷパラメータセット（ＲＰＳ）情報要素（ＩＥ）のフィールドであるＲＡＷ割当てフィールドは、定義されたフォーマットを有し得る。図５は、本開示の態様によるＲＡＷ割当てフィールドの例示的フォーマットを示す。図示されるように、ＲＡＷ制御サブフィールドは、ＲＡＷタイプを与える２ビットと、開始時間フィールド指示を与える１ビットと、同一グループ指示を与える１ビットと、チャネル指示存在を与える１ビットと、３ビットの拡張情報とを含み得る。
【００６１】
[0149]本明細書においてより詳しく記載されるように、ＲＡＷのタイプは、たとえば、通常ＲＡＷ、サウンディングＲＡＷ、周期的な制限されたアクセスＲＡＷ（ＰＲＡＷ）、またはシンプレックスＲＡＷ（たとえば、ＡＰ電力管理（ＡＰ  ＰＭ）ＲＡＷ／非トラフィック指示（非ＴＩＭ）ＲＡＷ）を含み得る。
【００６２】
[0150]通常ＲＡＷは、ＳＴＡのグループに、制限された媒体アクセスを与えるのに使われ得る。サウンディングＲＡＷ中、非ＡＰ  ＳＴＡは、送信機会（ＴＸＯＰ）を開始するのを禁じられ得るが、これらの非ＡＰ  ＳＴＡは、セクタサウンディングをリッスンすることを選んでもよく、制御応答フレームを送信してもよい。トラフィック指示（ＴＩＭ）ステーションがＰＲＡＷの割り当てを識別することができるように、ＰＲＡＷの指示がＡＰによって送信され得る。シンプレックスＲＡＷは、シンプレックスＲＡＷのタイプ（たとえば、オプションタイプ）に依存して、ＡＰ電力管理のために、非ＴＩＭ  ＳＴＡ用のチャネル時間を予約するために、またはオムニＲＡＷのために使われ得る。シンプレックスＲＡＷオプションタイプがオムニＲＡＷであるとき、媒体へのアクセスは無制限であり、ＲＡＷはすべてのＳＴＡによって使われ得る。
【００６３】
[0151]図６は、本開示の態様によるＲＡＷ割当てフィールドの例示的サブフィールドを示す。図６に示されるように、ＲＡＷ割当てフィールドの制御部分は、ＲＡＷ割当てフィールドの情報部分中の少なくとも２つのフィールドの値（たとえば、スロット持続時間およびスロット数）を示す１つまたは複数のビットをもつフィールド（たとえば、持続時間／数構成）を有し得る。たとえば、ＲＡＷの制御部分において持続時間／数構成＝０である場合、スロット持続時間は８ビットの情報を含むことができ、スロット数は６ビットの情報を含むことができ、ここで、スロット持続時間とスロット数の両方が、ＲＡＷ割当てフィールドの情報部分中にある。別の例として、ＲＡＷの制御部分において持続時間／数構成＝１である場合、ＲＡＷの情報部分中のスロット持続時間は、グループに依存して、１４または１１ビットの情報を含み得る。
【００６４】
[0152]したがって、本開示の態様は、たとえば、ワイヤレスデバイス２０２の１つまたは複数の構成要素を含み得る、ＡＰ１０４などのＡＰによって実施される方法を提供する。ＡＰは、ＲＡＷ割当てフレームを生成することができる。フレームは、ＲＡＷ割当てフレームの情報部分中の少なくとも２つのフィールドの値を示す少なくとも１つのビットを有するフィールドをもつ制御部分を有し得る。ＡＰは、生成したＲＡＷ割当てフレームを送信することができる。上述したように、および図６に示されるように、少なくとも１つのビットは、スロット持続時間フィールドの値と、スロット数フィールドの値とを示し得る。
【００６５】
[0153]同様に、いくつかの態様によると、ワイヤレスデバイス２０２の１つまたは複数の構成要素を含み得る、ＳＴＡ１０６を含むＳＴＡは、ＲＡＷ割当てフレームを受信し得る。ＲＡＷ割当てフレームは、ＲＡＷ割当てフレームの情報部分中の少なくとも２つのフィールドの値を示す少なくとも１つのビットを有するフィールドをもつ制御部分を含み得る。少なくとも１つのビットに基づいて、ＳＴＡは、少なくとも２つのフィールドの値を決定することができる。上述したように、および図６に示されるように、ＳＴＡは、スロット持続時間フィールドの値と、スロット数フィールドの値とを示すビットを受信し得る。
【００６６】
[0154]図７は、４つのタイプのＲＡＷ、すなわち通常ＲＡＷ、サウンディングＲＡＷ、ＰＲＡＷ、およびシンプレックスＲＡＷ用の例示的サブフィールドの一覧を与える。図７に示されるように、ＰＲＡＷ指示、開始時間指示、開始時間、および持続時間サブフィールドなど、サブフィールドのうちのいくつかは、これらの４つのタイプのＲＡＷによって共有され得る。
【００６７】
[0155]サブフィールドのうちのいくつかは、４つのＲＡＷタイプのうちのすべてよりは少ないものによって共有され得る。たとえば、同一グループ指示、グループ、およびチャネル指示は、通常ＲＡＷ、サウンディングＲＡＷ、およびＰＲＡＷタイプによって共有されてよく、サウンディングＲＡＷ指示は、通常ＲＡＷおよびサウンディングＲＡＷタイプによって共有されてよい。
【００６８】
[0156]さらに、サブフィールドのうちのいくつかは、個々のＲＡＷタイプによって使われるだけであり得る。たとえば、ＲＡ存在、アクセス制限、およびフレームタイプは通常ＲＡＷのみによって使われればよく、ＰＲＡＷ周期性およびＰＲＡＷ開始オフセットはＰＲＡＷのみによって使われるだけでよい。
【００６９】
[0157]図８Ａは、通常ＲＡＷ（たとえば、２ビットのＲＡＷタイプフィールド＝００である）についての例を示す。図８Ｂは、ＰＳ−Ｐｏｌｌ  ＲＡＷという種類のＰＲＡＷ（たとえば、２ビットのＲＡＷタイプフィールド＝１１である）についての例を示す。図８Ｃは、サウンディングまたはシンプレックスＲＡＷ（たとえば、２ビットのＲＡＷタイプフィールド＝０１または１０である）についての例を示す。図８Ａ〜図８Ｃに示されるように、ＲＡＷタイプは、いくつかのサブフィールドを共通で有し、共有されないいくつかのサブフィールドを有する。さらに、図８Ａ〜図８Ｃの各々は、グループフィールドを含む。
【００７０】
[0158]本開示の態様によると、ＲＰＳ  ＩＥのフォーマットは、異なるＲＡＷ割当てタイプにおいて異なるタイプのフィールドを構成するための柔軟性を与える。いくつかの態様によると、いくつかのフィールドが、シグナリングオーバーヘッドを削減するために、柔軟にされ得る。たとえば、開始時間、持続時間、および／またはチャネル指示が、以下で説明するように、より柔軟にされ得る。
【００７１】
[0159]たとえば、ビーコン間隔が短いとき、開始時間および持続時間フィールドが、時間単位において１６ビットで符号化される必要がない場合がある。したがって、いくつかの態様によると、ビーコン間隔が２５６時間単位未満のとき、開始時間および持続時間フィールドは、時間単位において８ビットを使って符号化され得る。それ以外の場合、これらのフィールドは、１６ビットを使って符号化され得る。
【００７２】
[0160]プライマリチャネルのみが、（たとえば、１ＭＨｚの）送信に使われているとき、チャネル指示フィールドを含む必要はない場合がある。いくつかの態様によると、チャネル指示サブフィールドが存在するかどうかを示すために、チャネル指示存在サブフィールドがＲＡＷ割当てフィールドに追加され得る。たとえば、チャネル指示存在サブフィールド＝０のとき、チャネル指示フィールドは存在し得ない。チャネル指示存在サブフィールド＝１のとき、チャネル指示フィールドは存在し得る。
【００７３】
[0161]通常ＲＡＷ割当て用に、持続時間とスロット定義の両方が存在し得る。ただし、持続時間はスロット定義から（たとえば、スロット持続時間をスロット数で乗算することによって）導出され得るので、いくつかの態様によると、通常ＲＡＷ割当て用に、持続時間フィールドは存在しなくてよい。
【００７４】
[0162]図９Ａは、本開示の態様による例示的ＲＰＳ  ＩＥフォーマットを示す。図９Ａに示されるように、ＲＰＳ  ＩＥは、Ｎ個のＲＡＷ割当てフィールドを含む。図９Ｂは、通常ＲＡＷタイプ用のＮ個のＲＡＷ割当てフィールドのうちの１つの、例示的サブフィールドを示す。図９Ｃは、シンプレックスＲＡＷタイプ（たとえば、オプションタイプＡＰ  ＰＭ  ＲＡＷ）用のＮ個のＲＡＷ割当てフィールドのうちの１つの、例示的サブフィールドを示す。図９Ｄは、ＰＲＡＷタイプ用のＮ個のＲＡＷ割当てフィールドのうちの１つの、例示的サブフィールドを示す。
【００７５】
[0163]本開示の態様は、異なるＲＡＷタイプ用に使われ得る、統一されたＲＡＷ割当てフィールドフォーマットを提供する。上述したように、異なるＲＡＷタイプは、通常ＲＡＷと、サウンディングＲＡＷと、シンプレックスＲＡＷと、ＰＲＡＷとを含み得る。異なるＲＡＷタイプについての定義を統一するために、各ＲＡＷ割当てサブフィールドは、制御部分と情報本体とを含み得る。
【００７６】
[0164]図１０Ａは、本開示の態様による例示的ＲＡＷ割当てサブフィールドフォーマット１０００を示す。たとえば、図９Ａに示されるＮ個のＲＡＷ割当てサブフィールドの各々は、図１０Ａに示されるように、ＲＡＷ割当て制御部分１００２と可変長ＲＡＷ割当て情報本体１００４とを含み得る。
【００７７】
[0165]図１０Ｂは、図５に示されるＲＡＷ割当て制御フィールドと同様の、ＲＡＷ割当てサブフィールドフォーマット１０００のＲＡＷ割当て制御１００２の例示的フィールドを示す。ＲＡＷ割当て制御サブフィールド１００２は、ＲＡＷタイプと、開始時間フィールド指示と、同一グループ指示と、チャネル指示存在フィールドと、拡張フィールドとを示す１つまたは複数のサブフィールドを含み得る。ＲＡＷタイプフィールドは、通常ＲＡＷ、サウンディングＲＡＷ、シンプレックスＲＡＷ、またはＰＲＡＷ  ＲＡＷを示すことができる２ビットの情報を含み得る。
【００７８】
[0166]開始時間指示、同一グループ指示、およびチャネル指示存在は、そのサブフィールドがＲＡＷ割当てサブフィールド中に存在するかどうかに依存する値に設定され得る。たとえば、いくつかの態様によると、開始時間指示フィールドは、開始時間サブフィールドが存在しないときは０に設定されてよく、開始時間サブフィールドが存在するときは１に設定されてよく、同一グループ指示は、グループサブフィールドが存在するときは０に設定されてよく、グループサブフィールドが存在しないときは１に設定されてよく、チャネル指示存在は、チャネル指示が存在しないときは０に設定されてよく、チャネル指示が存在するときは１に設定されてよい。
【００７９】
[0167]いくつかの態様によると、拡張サブフィールドは、ＲＡＷのタイプによって定義される３つのビットを含み得る。
【００８０】
[0168]図１０Ｃは、ＲＡＷ割当てサブフィールドフォーマット１０００のＲＡＷ割当て情報本体１００４中の例示的サブフィールドを示す。たとえば、ＲＡＷ割当て情報本体中のサブフィールドは、送信機による符号化と受信機による復号とをより容易にするために、図１０Ｃに示される順序で符号化され得る。図示されるように、ＲＡＷ割当て情報本体は、８ビットのＲＡＷ制御サブフィールドと、８または１６ビットの開始時間指示と、８または１６ビットの持続時間指示と、１６ビットのスロット定義指示と、２４ビットのグループ指示と、８ビットのチャネル指示と、１６ビットのＰＲＡＷ周期性と、１６ビットのＰＲＡＷ開始オフセットとを含み得る。
【００８１】
[0169]図１１は、本開示の態様による、通常ＲＡＷタイプ（たとえば、ＲＡＷタイプ＝００）の例を示す。図１０Ｂを参照して記載されるように、ＲＡＷ割当て制御サブフィールド１００２の拡張サブフィールドは、ＲＡＷのタイプによって定義される３つのビットを含み得る。いくつかの態様によると、通常ＲＡＷタイプの場合、３つの拡張ビットは、制限されたアクセス（ＲＡ）と、被ページングステーションと、フレームタイプとを示し得る。例として、および図示されるように、拡張サブフィールドは、被ページングＳＴＡ１１０２を示す１ビットと、ＲＡＷ動作１１０４を示した２ビットとを含み得る。ＲＡＷ動作＝００は、ＲＡが存在しないことを示すことができ、任意のフレームタイプ（１６ビット）を示すことができる。ＲＡＷ動作＝０１は、ＲＡが存在しないことを示すことができ、任意のフレームタイプ（８ビット）を示すことができる。ＲＡＷ動作＝１０は、ＲＡが存在することを示すことができ、一定数のビットの任意のフレームタイプを示すことができる。ＲＡＷ動作＝１１は、ＲＡが存在しないことを示すことができ、フレームがＰＳ−Ｐｏｌｌ（８ビット）のみであり得ることを示すことができる。図示されるように、グループフィールドは、通常ＲＡＷタイプ用に存在し得る。
【００８２】
[0170]図１２は、本開示の態様による、サウンディングＲＡＷタイプ（たとえば、ＲＡＷタイプ＝０１）の例を示す。図１２に示されるように、拡張フィールドの３ビットは予約済みであり得る。図示されるように、グループフィールドは、サウンディングＲＡＷタイプ用に存在し得る。
【００８３】
[0171]図１３は、本開示の態様による、サウンディングＲＡＷタイプ（たとえば、ＲＡＷタイプ＝１０）の例を示す。いくつかの態様によると、および図示されるように、グループフィールドは、シンプレックスＲＡＷタイプ用には存在しなくてよい。
【００８４】
[0172]図１４は、本開示の態様による、ＰＲＡＷ  ＲＡＷタイプ（たとえば、ＲＡＷタイプ＝１１）の例を示す。図示されるように、グループフィールドは、ＰＲＡＷ  ＲＡＷタイプ用に存在し得る。
【００８５】
[0173]上述したように、いくつかのケースでは、ＲＡＷ「グループ」フィールドは、図１３に示されるように、シンプレックスＲＡＷタイプなど、特定のＲＡＷタイプには必要とされない場合がある。３つのＲＡＷタイプオプションが、シンプレックスＲＡＷタイプ用に存在し得る。これらのＲＡＷタイプオプションは、ＡＰ  ＰＭ  ＲＡＷと、非ＴＩＭ  ＲＡＷと、オムニＲＡＷとを含む。ＲＡＷオプションタイプがＡＰ  ＰＭ  ＲＡＷであるとき、どのＳＴＡもＡＰにアクセスすることができない。ＲＡＷタイプオプションがシンプレックスＲＡＷタイプの非ＴＩＭ  ＲＡＷであるとき、アクセスは、ＲＡＷ内であらかじめスケジュールされた非ＴＩＭ  ＳＴＡに制限される。ＲＡＷタイプオプションがシンプレックスＲＡＷタイプのオムニＲＡＷであるとき、アクセスは、どの特定のＳＴＡにも制限されない。オムニＲＡＷ中、すべてのＳＴＡが媒体にアクセスすることができる。したがって、オムニＲＡＷは、たとえば、タイプまたは関連付け状況にかかわらず、すべてのＳＴＡにとってアクセス可能であり得る（および、新たな関連付けのためにアクセス可能であってもよい）。
【００８６】
[0174]シンプレックスＲＡＷタイプのＲＡＷタイプオプション（たとえば、ＡＰ  ＰＭ  ＲＡＷ、非ＴＩＭ  ＲＡＷ、およびオムニＲＡＷ）に基づいて、ＳＴＡは、ＲＡＷ中に媒体にアクセスすることができるかどうかを知ることができる。たとえば、ＡＰ  ＰＭタイプオプション中、ＡＰはスリープしている場合があり、したがって、どのＳＴＡもＡＰにアクセスすることができない。ＡＰ  ＰＭタイプオプション中、ＳＴＡは依然として、互いと通信することができる。非ＴＩＭ  ＲＡＷタイプオプション中、非ＴＩＭステーションのみが媒体にアクセスすることができる。シンプレックスＲＡＷタイプのオムニタイプオプション中、すべてのＳＴＡが媒体にアクセスすることができる。したがって、シンプレックスＲＡＷタイプの間に媒体にアクセスすることができるＳＴＡの「グループ」を示すことは、必要でない場合がある。したがって、本明細書に記載される態様によると、ＲＡＷのシンプレックスタイプ用のＲＡＷグループフィールドの必要性がない場合がある。
【００８７】
[0175]したがって、シグナリングオーバーヘッドをさらに削減するために、ＲＡＷ「グループ」フィールドは、特定のＲＡＷタイプ（たとえば、シンプレックスＲＡＷタイプ）の情報本体１００４に含まれなくてよい。たとえば、図１３に示されるように、「グループ」サブフィールドは、シンプレックスＲＡＷタイプ（たとえば、Ｒａｗタイプ＝１０）向けのＲＡＷ割当て情報本体の中に含まれない。
【００８８】
[0176]いくつかの態様によると、同一グループ指示フィールド１３０２は、グループフィールドがシンプレックスＲＡＷタイプ向けの情報本体に含まれないとき、必要でなくてよい。たとえば、同一グループ指示は、一般的には、ＲＡＷのグループが前のＲＡＷのグループと同じであることを示す。したがって、同一グループ指示フィールド１３０２は、グループフィールドがシンプレックスＲＡＷ情報本体に含まれないとき、別の目的で予約され、使われ得る。
【００８９】
[0177]ある態様によると、同一グループ指示フィールドは、シンプレックスＲＡＷタイプ中に媒体にアクセスすることができるか、またはできないステーションのサブセットを示すのに使われ得る。このように、同一グループ指示フィールドは、このシンプレックスＲＡＷタイプ中に媒体にアクセスすることができるＳＴＡのグループをさらに狭めるために転用され得る。
【００９０】
[0178]ある態様によると、同一グループ指示フィールドは、１ビットを含み得る。１に設定された同一グループ指示ビットは、特定のＲＡＷタイプオプション用のＳＴＡのより狭いグループが、媒体にアクセスすることができるか、またはできないことを示し得る。０に設定された同一グループ指示ビットは、ＳＴＡのそのようなグループ化がないことを示し得る。
【００９１】
[0179]シンプレックスＲＡＷタイプのオムニタイプオプションは、すべてのステーションが媒体にアクセスしてよいことを示し得る。いくつかの態様によると、同一グループ指示ビットは、シンプレックスＲＡＷ中に媒体にアクセスしてよいＳＴＡのグループをさらに絞り込むことを示し得る。このように、同一グループ指示は、このタイプのＲＡＷについての「ＲＡＷグループ」の存在を示し得る。
【００９２】
[0180]図１５は、本開示の態様に従って実施され得る例示的動作１５００を示す。動作１５００は、たとえば、ワイヤレスデバイス２０２の１つまたは複数の構成要素を含み得る、図１のＡＰ１０４などのＡＰによって実施され得る。
【００９３】
[0181]１５０２において、ＡＰは、制限されたアクセスウィンドウ（ＲＡＷ）を割り当てる情報要素（ＩＥ）をもつフレームを生成することができる。１５０４において、ＡＰは、ＲＡＷのタイプに基づいて、ＲＡＷ中に送信することを許可された１つまたは複数のデバイスのグループを示すフィールドをＩＥ中に含めるかどうか決定することができる。１５０６において、ＡＰは、生成されたフレームを送信用に出力することができる。
【００９４】
[0182]上述したように、ＡＰは、ＲＡＷタイプフィールドのサブフィールドを特定の値に設定することによって、ＲＡＷの少なくとも１つのタイプを示すことができる。
【００９５】
[0183]いくつかの態様によると、ＡＰは、フィールドをシンプレックスＲＡＷタイプのＩＥに含めないと決定してよい。ＡＰは、ＩＥフィールドの存在または不在を示すことができる。ある態様によると、この指示は、同一グループ指示フィールドの１つまたは複数のビットにより与えられ得る。上述したように、ＲＡＷタイプ（たとえば、シンプレックス）の少なくとも１つのオプションタイプ（たとえば、オムニ）が、それらのデバイスタイプにかかわらず、すべてのデバイスによってアクセス可能であってよい。したがって、ＡＰは、ＲＡＷの少なくともこのオプションタイプについては、ＩＥフィールドを含めないと決定してよい。言い換えると、１つまたは複数のデバイスのグループが、それらのデバイスタイプにかかわらず、ＲＡＷ中に通信し得ることを、ＲＡＷタイプのうちの少なくとも１つのオプションタイプが示す場合、ＡＰは、グループフィールドをＩＥに含めないと決定してよい。たとえば、１つまたは複数のデバイスのグループが、それらのデバイスタイプにかかわらず、ＲＡＷ中に送信および／または受信してよいことを、ＲＡＷタイプのうちの少なくとも１つのオプションタイプが示す場合、ＡＰは、グループフィールドをＩＥに含めないと決定してよい。
【００９６】
[0184]いくつかの態様によると、ＡＰは、ＲＡＷ中に送信することを許可されるデバイスの少なくとも１つのサブグループを示すことができる。デバイスのサブグループは、ＲＡＷ中に通信する（たとえば、送信および／または受信する）ことを許可される、１つまたは複数のデバイスのグループの、少なくとも１つのデバイスを含み得る。したがって、デバイスのサブグループは、ＲＡＷの同じオプションタイプをもつ、媒体にアクセスすることを許可されるデバイスをさらに絞り込むことができる。
【００９７】
[0185]図１６は、本開示の態様による、ワイヤレス通信の例示的動作１６００を示す。動作１６００は、たとえば、非ＡＰステーションによって実施されてよく、図１５に示される動作１５００に対する補完と見なされ得る。
【００９８】
[0186]１６０２において、非ＡＰステーションは、（たとえば、フレームを直接受信するか、またはフレームをＲＦフロントエンドデバイスから受信することによって）ＲＡＷを割り当てるＩＥをもつフレームを取得することができる。１６０４において、非ＡＰ  ＳＴＡは、ＲＡＷのタイプに基づいて、ＩＥ中にグループフィールドが含まれるかどうか決定することができ、１６０６において、非ＡＰ  ＳＴＡは、決定に基づいてフレームを処理すればよい。
【００９９】
[0187]図１７は、本開示のある態様による、ＲＡＷ割当て用の例示的フォーマットを示す。図示される例は、サウンディングまたはシンプレックスＲＡＷタイプに対応し得る。この例を、たとえば、図８Ｂおよび図８Ｃに示される例と比較すると、図１７に示される例はＲＡＷグループフィールドを含まないことが分かる。
【０１００】
[0188]いくつかの態様によると、「同一グループ指示」フィールドは、シンプレックスＲＡＷタイプ用に予約済みであり得る。いくつかのケースでは、「同一グループ指示」は、このタイプのＲＡＷについての「ＲＡＷグループ」（たとえば、ＲＡＷグループタイプのデバイスのサブセット）の存在を示すのに使われ得る。
【０１０１】
[0189]本明細書で使用する「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含む場合がある。また、「決定すること」は、受信すること（たとえば、情報を受信すること）、アクセスすること（たとえば、メモリ内のデータにアクセスすること）などを含む場合がある。また、「決定すること」は、解決すること、選択すること、選定すること、確立することなどを含む場合がある。さらに、本明細書で使用する「チャネル幅」は、いくつかの態様では帯域幅を包含する場合があるか、または帯域幅と呼ばれる場合もある。
【０１０２】
[0190]本明細書で使用する、項目のリスト「のうちの少なくとも１つ」を指すフレーズは、単一のメンバを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含するものとする。
【０１０３】
[0191]上述された方法の様々な動作は、様々なハードウェア構成要素および／もしくはソフトウェア構成要素、回路、ならびに／またはモジュールなどの、それらの動作を実行することが可能な任意の適切な手段によって実行され得る。一般に、図に示された任意の動作は、その動作を実行することが可能な対応する機能的手段によって実行され得る。
【０１０４】
[0192]本開示に関して記載された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、個別ゲートもしくはトランジスタ論理、個別ハードウェア構成要素、または本明細書に記載された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【０１０５】
[0193]１つまたは複数の態様では、記載された機能は、ハードウェア、ソフトウェア、ファームウェア、またはそれらの任意の組合せに実装され得る。ソフトウェアに実装される場合、機能は、１つまたは複数の命令またはコードとして、コンピュータ可読媒体上に記憶され得るか、またはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気記憶デバイス、または、命令もしくはデータ構造の形態の所望のプログラムコードを搬送もしくは記憶するために使用され得るし、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（ｄｉｓｋ）およびディスク（ｄｉｓｃ）は、コンパクトディスク（ｄｉｓｃ）（ＣＤ）、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ（登録商標）ディスク（ｄｉｓｃ）を含み、ディスク（ｄｉｓｋ）は、通常、データを磁気的に再生し、ディスク（ｄｉｓｃ）は、データをレーザーで光学的に再生する。したがって、いくつかの態様では、コンピュータ可読媒体は、非一時的コンピュータ可読媒体（たとえば、有形媒体）を備える場合がある。加えて、いくつかの態様では、コンピュータ可読媒体は、一時的コンピュータ可読媒体（たとえば、信号）を備える場合がある。上記の組合せもコンピュータ可読媒体の範囲内に含まれるべきである。
【０１０６】
[0194]本明細書で開示された方法は、記載された方法を実現するための１つまたは複数のステップまたはアクションを備える。方法のステップおよび／またはアクションは、特許請求の範囲から逸脱することなく互いに交換され得る。言い換えれば、ステップまたはアクションの具体的な順序が指定されない限り、具体的なステップおよび／またはアクションの順序および／または使用は、特許請求の範囲から逸脱することなく修正され得る。
【０１０７】
[0195]記載された機能は、ハードウェア、ソフトウェア、ファームウェア、またはそれらの任意の組合せに実装され得る。ソフトウェアに実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または、命令もしくはデータ構造の形態の所望のプログラムコードを搬送もしくは記憶するために使用され得るし、コンピュータによってアクセスされ得る、任意の他の媒体を備えることができる。本明細書で使用するディスク（ｄｉｓｋ）およびディスク（ｄｉｓｃ）は、コンパクトディスク（ｄｉｓｃ）（ＣＤ）、レーザーディスク（ｄｉｓｃ）、光ディスク（ｄｉｓｃ）、デジタル多用途ディスク（ｄｉｓｃ）（ＤＶＤ）、フロッピーディスク（ｄｉｓｋ）、およびブルーレイディスク（ｄｉｓｃ）（登録商標）を含み、ディスク（ｄｉｓｋ）は、通常、データを磁気的に再生し、ディスク（ｄｉｓｃ）は、データをレーザーで光学的に再生する。
【０１０８】
[0196]したがって、いくつかの態様は、本明細書で提示された動作を実行するためのコンピュータプログラム製品を備える場合がある。たとえば、そのようなコンピュータプログラム製品は、本明細書に記載された動作を実行するために、１つまたは複数のプロセッサによって実行可能である命令を記憶した（かつ／または符号化した）コンピュータ可読媒体を備える場合がある。いくつかの態様では、コンピュータプログラム製品はパッケージング材料を含む場合がある。
【０１０９】
[0197]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１１０】
[0198]さらに、本明細書に記載された方法および技法を実施するためのモジュールおよび／または他の適切な手段は、適用可能な場合ユーザ端末および／または基地局によってダウンロードされ得るし、かつ／または場合によっては取得され得ることを諒解されたい。たとえば、本明細書に記載された方法を実施するための手段の転送を容易にするために、そのようなデバイスはサーバに結合される場合がある。代替として、本明細書に記載された様々な方法は、ユーザ端末および／または基地局が記憶手段をデバイスに結合するか、または提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。その上、本明細書に記載された方法および技法をデバイスに提供するための任意の他の適切な技法が利用され得る。
【０１１１】
[0199]特許請求の範囲は、上記に示された厳密な構成および構成要素に限定されないことを理解されたい。特許請求の範囲から逸脱することなく、上述された方法および装置の構成、動作、および詳細において、様々な修正、変更、および変形が行われ得る。
【０１１２】
[0200]上記は本開示の態様を対象とするが、本開示の他の態様およびさらなる態様は、その基本的範囲から逸脱することなく考案され得るし、その範囲は以下の特許請求の範囲によって決定される。
【図１】
2016534670.tif 000003
【図２】
2016534670.tif 000004
【図３】
2016534670.tif 000005
【図４】
2016534670.tif 000006
【図５】
2016534670.tif 000007
【図６】
2016534670.tif 000008
【図７】
2016534670.tif 000009
【図８Ａ】
2016534670.tif 000010
【図８Ｂ】
2016534670.tif 000011
【図８Ｃ】
2016534670.tif 000012
【図９Ａ】
2016534670.tif 000013
【図９Ｂ】
2016534670.tif 000014
【図９Ｃ】
2016534670.tif 000015
【図９Ｄ】
2016534670.tif 000016
【図１０Ａ】
2016534670.tif 000017
【図１０Ｂ】
2016534670.tif 000018
【図１０Ｃ】
2016534670.tif 000019
【図１１】
2016534670.tif 000020
【図１２】
2016534670.tif 000021
【図１３】
2016534670.tif 000022
【図１４】
2016534670.tif 000023
【図１５】
2016534670.tif 000024
【図１５Ａ】
2016534670.tif 000025
【図１６】
2016534670.tif 000026
【図１６Ａ】
2016534670.tif 000027
【図１７】
2016534670.tif 000028
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
前記装置は、制限されたアクセスウィンドウ（ＲＡＷ）を割り当てる情報要素（ＩＥ）をもつフレームを生成するように、ならびに、前記ＲＡＷのタイプに基づいて、前記ＲＡＷ中に送信することを許可された１つまたは複数のデバイスのグループを示すフィールドを前記ＩＥ中に含めるかどうか決定するように、構成された処理システムを備え、
前記ＲＡＷタイプの少なくとも１つのオプションタイプは、デバイスのデバイスタイプにかかわらず、当該デバイスによってアクセス可能であり、
前記処理システムは、前記ＲＡＷタイプの少なくとも１つのオプションタイプが、１つまたは複数のデバイスのグループが当該デバイスのデバイスタイプにかかわらず前記ＲＡＷ中に通信してよいことを示す場合、前記フィールドを前記ＩＥに含めないと決定するようにさらに構成され、
前記装置は、前記生成されたフレームを送信用に出力するためのインターフェースを備える、
装置。
【請求項２】
前記処理システムは、シンプレックスＲＡＷタイプのＩＥに対して前記フィールドを含めないと決定するようにさらに構成される、請求項１に記載の装置。
【請求項３】
前記処理システムは、前記ＩＥ中の、前記フィールドの存在または不在を指示するようにさらに構成される、請求項１に記載の装置。
【請求項４】
前記指示は、前記ＩＥの同一グループ指示フィールドの１つまたは複数のビットにより与えられる、請求項３に記載の装置。
【請求項５】
前記少なくとも１つのオプションタイプはオムニであり、前記ＲＡＷタイプはシンプレックスである、請求項１に記載の装置。
【請求項６】
前記処理システムは、ＲＡＷタイプフィールドのサブフィールドを特定の値に設定することによって、前記ＲＡＷタイプの前記少なくとも１つのオプションタイプを示すように構成される、請求項１に記載の装置。
【請求項７】
前記処理システムは、前記ＲＡＷ中に通信することを許可されるデバイスの少なくとも１つのサブグループを示すように構成され、
デバイスの前記サブグループは、前記ＲＡＷ中に通信することを許可された１つまたは複数のデバイスの前記グループからの少なくとも１つのデバイスを含む、
請求項１に記載の装置。
【請求項８】
ワイヤレス通信のための方法であって、
前記方法は、
制限されたアクセスウィンドウ（ＲＡＷ）を割り当てる情報要素（ＩＥ）をもつフレームを生成することと、
前記ＲＡＷのタイプに基づいて、前記ＲＡＷ中に送信することを許可された１つまたは複数のデバイスのグループを示すフィールドを前記ＩＥ中に含めるかどうか決定することと、
を備え、
前記ＲＡＷタイプの少なくとも１つのオプションタイプは、デバイスのデバイスタイプにかかわらず、当該デバイスによってアクセス可能であり、
前記決定することは、前記ＲＡＷタイプの少なくとも１つのオプションタイプが、１つまたは複数のデバイスのグループが当該デバイスのデバイスタイプにかかわらず前記ＲＡＷ中に通信してよいことを示す場合、前記フィールドを前記ＩＥ中に含めないと決定することをさらに備え、
前記方法は、前記生成されたフレームを送信用に出力することを備える、
方法。
【請求項９】
前記ＲＡＷのタイプに基づいて、前記ＲＡＷ中に送信することを許可された１つまたは複数のデバイスのグループを示すフィールドを前記ＩＥ中に含めるかどうか決定することは、シンプレックスＲＡＷタイプに対して前記フィールドを含めないと決定することを備える、請求項８に記載の方法。
【請求項１０】
前記ＩＥ中の、前記フィールドの存在または不在を指示することをさらに備える、請求項８に記載の方法。
【請求項１１】
前記指示は、前記ＩＥの同一グループ指示フィールドの１つまたは複数のビットにより与えられる、請求項１０に記載の方法。
【請求項１２】
前記オプションタイプはオムニであり、前記ＲＡＷタイプはシンプレックスである、請求項８に記載の方法。
【請求項１３】
ＲＡＷタイプフィールドのサブフィールドを特定の値に設定することによって、前記ＲＡＷタイプの前記少なくとも１つのオプションタイプを示すことをさらに備える、請求項８に記載の方法。
【請求項１４】
前記ＲＡＷ中に通信することを許可されるデバイスの少なくとも１つのサブグループを示すことをさらに備え、
デバイスの前記サブグループは、前記ＲＡＷ中に通信することを許可された１つまたは複数のデバイスの前記グループからの少なくとも１つのデバイスを含む、
請求項８に記載の方法。
【請求項１５】
ワイヤレス通信のための装置であって、
前記装置は、
制限されたアクセスウィンドウ（ＲＡＷ）を割り当てる情報要素（ＩＥ）をもつフレームを生成するための手段と、
前記ＲＡＷのタイプに基づいて、前記ＲＡＷ中に送信することを許可された１つまたは複数のデバイスのグループを示すフィールドを前記ＩＥ中に含めるかどうか決定するための手段と、
を備え、
前記ＲＡＷタイプの少なくとも１つのオプションタイプは、デバイスのデバイスタイプにかかわらず、当該デバイスによってアクセス可能であり、
前記決定するための手段は、前記ＲＡＷタイプの少なくとも１つのオプションタイプが、１つまたは複数のデバイスのグループが当該デバイスのデバイスタイプにかかわらず前記ＲＡＷ中に通信してよいことを示す場合、前記フィールドを前記ＩＥ中に含めないと決定するようにさらに構成され、
前記装置は、前記生成されたフレームを送信用に出力するための手段を備える、
装置。
【請求項１６】
コンピュータ可読媒体を備えるコンピュータプログラム製品であって、
前記コンピュータ可読媒体は、
制限されたアクセスウィンドウ（ＲＡＷ）を割り当てる情報要素（ＩＥ）をもつフレームを生成し、
前記ＲＡＷのタイプに基づいて、前記ＲＡＷ中に送信することを許可された１つまたは複数のデバイスのグループを示すフィールドを前記ＩＥ中に含めるかどうか決定する、
ための命令を記憶し、
前記ＲＡＷタイプの少なくとも１つのオプションタイプは、デバイスのデバイスタイプにかかわらず、当該デバイスによってアクセス可能であり、
前記決定することは、前記ＲＡＷタイプの少なくとも１つのオプションタイプが、１つまたは複数のデバイスのグループが当該デバイスのデバイスタイプにかかわらず前記ＲＡＷ中に通信してよいことを示す場合、前記フィールドを前記ＩＥ中に含めないと決定することをさらに備え、
前記コンピュータ可読媒体は、前記生成されたフレームを送信用に出力するための命令を記憶する、
コンピュータプログラム製品。
【請求項１７】
アクセスポイント（ＡＰ）であって、
前記アクセスポイントは、
少なくとも１つのアンテナと、
制限されたアクセスウィンドウ（ＲＡＷ）を割り当てる情報要素（ＩＥ）をもつフレームを生成し、ならびに、前記ＲＡＷのタイプに基づいて、前記ＲＡＷ中に送信することを許可された１つまたは複数のデバイスのグループを示すフィールドを前記ＩＥ中に含めるかどうか決定するように、構成された処理システムと
を備え、
前記ＲＡＷタイプの少なくとも１つのオプションタイプは、デバイスのデバイスタイプにかかわらず、当該デバイスによってアクセス可能であり、
前記決定することは、前記ＲＡＷタイプの少なくとも１つのオプションタイプが、１つまたは複数のデバイスのグループが当該デバイスのデバイスタイプにかかわらず前記ＲＡＷ中に通信してよいことを示す場合、前記フィールドを前記ＩＥ中に含めないと決定することをさらに備え、
前記アクセスポイントは、前記少なくとも１つのアンテナを介して、前記生成されたフレームを送信用に送信するように構成された送信機を備える、
アクセスポイント。
【手続補正２】
【補正対象書類名】明細書
【補正対象項目名】０１１２
【補正方法】変更
【補正の内容】
【０１１２】
[0200]上記は本開示の態様を対象とするが、本開示の他の態様およびさらなる態様は、その基本的範囲から逸脱することなく考案され得るし、その範囲は以下の特許請求の範囲によって決定される。
以下に、本願の出願当初の特許請求の範囲に記載された発明が付記される。 
［１］ワイヤレス通信のための装置であって、制限されたアクセスウィンドウ（ＲＡＷ）を割り当てる情報要素（ＩＥ）をもつフレームを生成するように、ならびに、前記ＲＡＷのタイプに基づいて、前記ＲＡＷ中に送信することを許可された１つまたは複数のデバイスのグループを示すフィールドを前記ＩＥ中に含めるかどうか決定するように、構成された処理システムと、前記生成されたフレームを送信用に出力するためのインターフェースとを備える装置。
［２］前記処理システムは、シンプレックスＲＡＷタイプのＩＥに対して前記フィールドを含めないと決定するようにさらに構成される、［１］に記載の装置。
［３］前記処理システムは、前記ＩＥ中の、前記フィールドの存在または不在を指示するようにさらに構成される、［１］に記載の装置。
［４］前記指示は、前記ＩＥの同一グループ指示フィールドの１つまたは複数のビットにより与えられる、［３］に記載の装置。
［５］前記ＲＡＷタイプの少なくとも１つのオプションタイプは、デバイスのデバイスタイプにかかわらず、当該デバイスによってアクセス可能であり、前記処理システムは、前記ＲＡＷタイプの少なくとも１つのオプションタイプが、１つまたは複数のデバイスのグループが当該デバイスのデバイスタイプにかかわらず前記ＲＡＷ中に通信してよいことを示す場合、前記フィールドを前記ＩＥに含めないと決定するように構成される、［１］に記載の装置。
［６］前記少なくとも１つのオプションタイプはオムニであり、前記ＲＡＷタイプはシンプレックスである、［５］に記載の装置。
［７］前記処理システムは、ＲＡＷタイプフィールドのサブフィールドを特定の値に設定することによって、前記ＲＡＷタイプの前記少なくとも１つのオプションタイプを示すように構成される、［５］に記載の装置。
［８］前記処理システムは、前記ＲＡＷ中に通信することを許可されるデバイスの少なくとも１つのサブグループを示すように構成され、デバイスの前記サブグループは、前記ＲＡＷ中に通信することを許可された１つまたは複数のデバイスの前記グループからの少なくとも１つのデバイスを含む、［５］に記載の装置。
［９］ワイヤレス通信のための方法であって、制限されたアクセスウィンドウ（ＲＡＷ）を割り当てる情報要素（ＩＥ）をもつフレームを生成することと、前記ＲＡＷのタイプに基づいて、前記ＲＡＷ中に送信することを許可された１つまたは複数のデバイスのグループを示すフィールドを前記ＩＥ中に含めるかどうか決定することと、前記生成されたフレームを送信用に出力することとを備える方法。
［１０］前記ＲＡＷのタイプに基づいて、前記ＲＡＷ中に送信することを許可された１つまたは複数のデバイスのグループを示すフィールドを前記ＩＥ中に含めるかどうか決定することは、シンプレックスＲＡＷタイプに対して前記フィールドを含めないと決定することを備える、［９］に記載の方法。
［１１］前記ＩＥ中の、前記フィールドの存在または不在を指示することをさらに備える、［９］に記載の方法。
［１２］前記指示は、前記ＩＥの同一グループ指示フィールドの１つまたは複数のビットにより与えられる、［１１］に記載の方法。
［１３］前記ＲＡＷタイプの少なくとも１つのオプションタイプは、デバイスのデバイスタイプにかかわらず、当該デバイスによってアクセス可能であり、前記ＲＡＷタイプの少なくとも１つのオプションタイプが、１つまたは複数のデバイスのグループが当該デバイスのデバイスタイプにかかわらず前記ＲＡＷ中に通信してよいことを示す場合、前記フィールドを前記ＩＥ中に含めないと決定することをさらに備える、［９］に記載の方法。
［１４］前記オプションタイプはオムニであり、前記ＲＡＷタイプはシンプレックスである、［１３］に記載の方法。
［１５］ＲＡＷタイプフィールドのサブフィールドを特定の値に設定することによって、前記ＲＡＷタイプの前記少なくとも１つのオプションタイプを示すことをさらに備える、［１３］に記載の方法。
［１６］前記ＲＡＷ中に通信することを許可されるデバイスの少なくとも１つのサブグループを示すことをさらに備え、デバイスの前記サブグループは、前記ＲＡＷ中に通信することを許可された１つまたは複数のデバイスの前記グループからの少なくとも１つのデバイスを含む、［１３］に記載の方法。
［１７］ワイヤレス通信のための装置であって、制限されたアクセスウィンドウ（ＲＡＷ）を割り当てる情報要素（ＩＥ）をもつフレームを生成するための手段と、前記ＲＡＷのタイプに基づいて、前記ＲＡＷ中に送信することを許可された１つまたは複数のデバイスのグループを示すフィールドを前記ＩＥ中に含めるかどうか決定するための手段と、前記生成されたフレームを送信用に出力するための手段とを備える装置。
［１８］制限されたアクセスウィンドウ（ＲＡＷ）を割り当てる情報要素（ＩＥ）をもつフレームを生成し、前記ＲＡＷのタイプに基づいて、前記ＲＡＷ中に送信することを許可された１つまたは複数のデバイスのグループを示すフィールドを前記ＩＥ中に含めるかどうか決定し、前記生成されたフレームを送信用に出力するための命令を記憶したコンピュータ可読媒体を備えるコンピュータプログラム製品。
［１９］アクセスポイント（ＡＰ）であって、少なくとも１つのアンテナと、制限されたアクセスウィンドウ（ＲＡＷ）を割り当てる情報要素（ＩＥ）をもつフレームを生成し、ならびに、前記ＲＡＷのタイプに基づいて、前記ＲＡＷ中に送信することを許可された１つまたは複数のデバイスのグループを示すフィールドを前記ＩＥ中に含めるかどうか決定するように、構成された処理システムと、前記少なくとも１つのアンテナを介して、前記生成されたフレームを送信用に送信するように構成された送信機とを備えるアクセスポイント。
【国際調査報告】
2016534670.tif 000029
2016534670.tif 000030
2016534670.tif 000031